(57)【要約】      （修正有）【課題】身体をこすって血流を向上させるカッサ療法に用いられるカッサ用具であって、翡翠と、それ以外の人体に良い影響を与える材料とから形成されたカッサ用具を提供する。【解決手段】本実施形態に係るカッサ用具は、一端が開口する半球状に形成されたカッサ本体１を備えている。カッサ本体１は、中空で、概略半球状に形成されている。また、カッサ本体１は、上記混合物によって円筒状に形成された把持部２を球面上に備えている。さらに、カッサ本体１は、開口端部に形成された凹凸部３を備えている。粉状体または粒状体の翡翠と、黄土と、粉状体または粒状体のゲルマニウムとを含む混合物によって形成されたことを特徴とする。また、前記混合物は、粉状体または粒状体の翡翠を実質的に５０重量％、黄土を実質的に３０重量％、および、粉状体または粒状体のゲルマニウムを実質的に２０重量％含む。【選択図】図１
0003191972.tif 000002
【実用新案登録請求の範囲】
【請求項１】
身体をこすって血流を向上させるカッサ療法に用いられるカッサ用具であって、
粉状体または粒状体の翡翠と、黄土と、粉状体または粒状体のゲルマニウムとを含む混合物によって形成されたことを特徴とするカッサ用具。
【請求項２】
前記混合物は、
粉状体または粒状体の翡翠を実質的に５０重量％、
黄土を実質的に３０重量％、および、
粉状体または粒状体のゲルマニウムを実質的に２０重量％含むことを特徴とする請求項１記載のカッサ用具。
【請求項３】
前記混合物によって、一端が開口する半球状に形成されたカッサ本体と、
前記混合物によって円筒状に形成され、前記カッサ本体の球面上に設けられた把持部と、
前記カッサ本体の開口端部に形成された凹凸部と、を備えることを特徴とする請求項１または請求項２記載のカッサ用具。
【考案の詳細な説明】
【技術分野】
【０００１】
本考案は、身体をこすって血流を向上させるカッサ療法に用いられるカッサ用具に関する。
【背景技術】
【０００２】
“カッサ”とは、“カッサ療法”を意味する言葉であり、この“カッサ療法”とは、専用の用具を使い、皮膚の経絡や反射区を擦って刺激することによって、毛細血管に圧を加え、血液中の毒を皮膚表面に押し出し、経絡の流れを良くするものである。
【０００３】
一方、従来から、翡翠を切削することによって形成されたカッサ用具が知られている。翡翠は、ケイ素、酸素、アルミニウム、ナトリウム、マグネシウム、カルシウム、鉄、チタンなどを含む石として存在する。このような翡翠は、古来より中国で珍重されており、特に、人体の健康に良い影響を与える物として注目されてきた。中国の漢方医学書である「本草綱目」には、翡翠の効能が記されている。また、有効率が高く、副作用が認められないという記載もある。このように人体にとって良い影響を与える翡翠は、例えば、カッサプレートとして形成され、カッサ療法に用いられてきた。
【先行技術文献】
【特許文献】
【０００４】
【特許文献１】登録実用新案第３０３８２９０号明細書
【考案の概要】
【考案が解決しようとする課題】
【０００５】
しかしながら、従来のカッサ用具は、固体の翡翠を切削することによって形成されるため、カッサ用具に、翡翠以外の人体に良い影響を与える鉱物や鉱石などを混合させることはできなかった。また、固体の翡翠を切削することによって生じた翡翠の粉状体や粒状体は、廃棄物とされていた。このような粉状体や粒状体の翡翠を利用することは有意義である。
【０００６】
本考案は、このような事情に鑑みてなされたものであり、翡翠と、それ以外の人体に良い影響を与える材料とから形成されたカッサ用具を提供することを目的とする。
【課題を解決するための手段】
【０００７】
（１）上記の目的を達成するために、本考案は、以下のような手段を講じた。すなわち、本考案のカッサ用具は、身体をこすって血流を向上させるカッサ療法に用いられるカッサ用具であって、粉状体または粒状体の翡翠と、黄土と、粉状体または粒状体のゲルマニウムとを含む混合物によって形成されたことを特徴とする。
【０００８】
このように、粉状体または粒状体の翡翠を用いるので、石としての翡翠を切削して形成する場合には困難なゲルマニウムを混合させたカッサ用具を形成することが可能となる。本考案に係るカッサ用具を用いることによって、カッサ療法やマッサージの効果を高めることが可能となる。
【０００９】
（２）また、本考案のカッサ用具において、前記混合物は、粉状体または粒状体の翡翠を実質的に５０重量％、黄土を実質的に３０重量％、および、粉状体または粒状体のゲルマニウムを実質的に２０重量％含むことを特徴とする。
【００１０】
この構成により、翡翠とゲルマニウムの長所を引き出すことが可能となる。
【００１１】
（３）また、本考案のカッサ用具は、前記混合物によって、一端が開口する半球状に形成されたカッサ本体と、前記混合物によって円筒状に形成され、前記カッサ本体の球面上に設けられた把持部と、前記カッサ本体の開口端部に形成された凹凸部と、を備えることを特徴とする。
【００１２】
このように、把持部を備えるため、施術者はカッサ療法やマッサージを行ない易くなる。また、凹凸部を備えるため、平坦である場合よりも刺激を与えやすくなり、被施術者に対するカッサ療法やマッサージ効果を高めることが可能となる。
【考案の効果】
【００１３】
本考案によれば、カッサ療法やマッサージの効果を高めることが可能となる。
【図面の簡単な説明】
【００１４】
【図１】本実施形態に係るカッサ用具の斜視図である。
【図２】本実施形態に係るカッサ用具の側面図である。
【図３】本実施形態に係るカッサ用具の製造工程の概略を示すフローチャートである。
【考案を実施するための形態】
【００１５】
本考案者は、翡翠を切削してカッサ用具を形成する際に生ずる粉状・粒状の翡翠に着目し、この粉状・粒状の翡翠にゲルマニウムと黄土を混合させることによって、全く新しいカッサ用具を形成することができることを見出し、本考案をするに至った。
【００１６】
すなわち、本考案のカッサ用具は、身体をこすって血流を向上させるカッサ療法に用いられるカッサ用具であって、粉状体または粒状体の翡翠と、黄土と、粉状体または粒状体のゲルマニウムとを含む混合物によって形成されたことを特徴とする。
【００１７】
これにより、本考案者は、人体に良い影響を与えるゲルマニウムを混合させたカッサ用具を形成することを可能とした。また、本考案者は、本考案に係るカッサ用具を用いることによって、カッサ療法やマッサージの効果を高めることを可能とした。以下、本考案の実施形態について、図面を参照しながら具体的に説明する。
【００１８】
図１は、本実施形態に係るカッサ用具の斜視図であり、図２は、本実施形態に係るカッサ用具の側面図である。このカッサ用具は、粉状体または粒状体の翡翠を実質的に５０重量％、黄土を実質的に３０重量％、および、粉状体または粒状体のゲルマニウムを実質的に２０重量％含む混合物から形成されている。図１および図２に示すように、本実施形態に係るカッサ用具は、上記混合物によって、一端が開口する半球状に形成されたカッサ本体１を備えている。カッサ本体１は、中空で、概略半球状に形成されている。また、カッサ本体１は、上記混合物によって円筒状に形成された把持部２を球面上に備えている。さらに、カッサ本体１は、開口端部に形成された凹凸部３を備えている。
【００１９】
この構成により、施術者は把持部２をしっかりと掴むことができるため、カッサ療法やマッサージを行ない易くなる。また、カッサ本体１が凹凸部３を備えるため、平坦である場合よりも被施術者の皮膚に刺激を与えやすくなり、被施術者に対するカッサ療法やマッサージ効果を高めることが可能となる。
【００２０】
図３は、本実施形態に係るカッサ用具の製造工程の概略を示すフローチャートである。まず、翡翠を切削して翡翠を粉状態または粒状体とする（ステップＳ１）。次に、ゲルマニウムを粉状化または粒状化する（ステップＳ２）。ステップＳ１およびステップＳ２では、予め粉状態または粒状体となっている翡翠およびゲルマニウムを用いても良い。次に、粉状態または粒状体となっている翡翠とゲルマニウムと黄土を混合させて、混合物を生成する（ステップＳ３）。混合割合は、粉状体または粒状体の翡翠を実質的に５０重量％、黄土を実質的に３０重量％、および、粉状体または粒状体のゲルマニウムを実質的に２０重量％である。
【００２１】
次に、ステップＳ３で生成した混合物によって、カッサ用具を形成する（ステップＳ４）。ここでは、一般的な陶芸の技術を用いることが可能である。例えば、「手びねり」である。「手びねり」とは、球、板（板作り）、紐（紐作り）などの形をした粘土（混合物）を手でこねて形を作る手法である。また、轆轤（ろくろ）を用いてカッサ用具を形成することも可能である。また、「粉体成形」によってカッサ用具を形成することも可能である。「粉体成形」とは、粒状にした半乾きの粘土（混合物）を型に入れ、圧力をかけて成形する方法である。また、「射出成形」によってカッサ用具を形成することも可能である。「射出成形」は、熱可塑性物質や金属部品の成形に用いられてきた方法である。
【００２２】
次に、このようにして混合物によって形成されたカッサ用具を、焼成する（ステップＳ５）。陶芸の技術では、一般的に、還元窯焼成は胎土に不可逆な変化をもたらす。焼成の目的は、陶磁器を恒久的に硬化させることであるため、焼成は、用いる素材と合致したものでなければならない。陶芸の技術では、おおよその目安として、陶器は通常１，０００−１，２００度、磁器は１，２００−１，４００度で焼成される。最後に、焼成されたカッサ用具を冷却して（ステップＳ６）、終了する。
【００２３】
以上説明したように、本実施形態によれば、粉状体または粒状体の翡翠を用いるので、石としての翡翠を切削して形成する場合には困難なゲルマニウムを混合させたカッサ用具を形成することが可能となる。本考案に係るカッサ用具を用いることによって、カッサ療法やマッサージの効果を高めることが可能となる。
【符号の説明】
【００２４】
１  カッサ本体
２  把持部
３  凹凸部
【図１】
0003191972.tif 000003
【図２】
0003191972.tif 000004
【図３】
0003191972.tif 000005
【手続補正書】
【提出日】平成26年5月26日(2014.5.26)
【手続補正１】
【補正対象書類名】実用新案登録請求の範囲
【補正対象項目名】全文
【補正方法】変更
【補正の内容】
【実用新案登録請求の範囲】
【請求項１】
身体をこすって血流を向上させるカッサ療法に用いられるカッサ用具であって、
粉状体または粒状体の翡翠と、黄土と、粉状体または粒状体のゲルマニウムとを含む混合物によって、一端が開口する半球状に形成されたカッサ本体と、
前記混合物によって円筒状に形成され、前記カッサ本体の球面上に設けられた把持部と、
前記カッサ本体の開口端部に形成された凹凸部と、を備えることを特徴とするカッサ用具。
【請求項２】
前記混合物は、
粉状体または粒状体の翡翠を実質的に５０重量％、
黄土を実質的に３０重量％、および、
粉状体または粒状体のゲルマニウムを実質的に２０重量％含むことを特徴とする請求項
１記載のカッサ用具。